(57)【要約】ＲＦＩＤタグ（２１０）は、食料品等の生鮮製品のパッケージ（２４０）上に与えられる。該製品の消費期限は、パッケージの開封によって影響される。当該タグ（２１０）は、パッケージ（２４０）が開封されたときを設定するよう配置され、パッケージ（２４０）の開封に応じて、タイマ（２１４）は、パッケージ（２４０）の開封後に経過した時間を測定するようトリガされ、製品の消費期限状態を示すデータが与えられ得る。また温度感知手段（２１５）は、パッケージ（２４０）の開封後に製品の保存条件を監視するよう、且つそれに応じて消費期限状況を調整するよう、与えられ得る。
2008510218.tif 000002
【特許請求の範囲】
【請求項１】
パッケージ内に有される生鮮製品の消費期限を設定する方法であって、
前記製品の消費期限は、前記パッケージの開封によって影響され、
・  前記パッケージの前記開封を検出する段階と、
・  前記パッケージの前記開封を前記検出する段階によって引き起こされる前記開封されたパッケージに対する前記製品の消費期限を設定する段階と、
・  前記消費期限を表すデータを供給する段階と、
を有する、
方法。
【請求項２】
・  前記製品の消費期限に影響を及ぼす少なくとも１つのパラメータを監視する段階と、
・  監視されるパラメータに従って前記消費期限を調整する段階と、
を有する、
請求項１記載の方法。
【請求項３】
パラメータ監視及び消費期限調整は、前記パッケージの前記開封を前記検出する段階によって開始される、
請求項２記載の方法。
【請求項４】
前記製品の期限が切れたこと又は期限切れ間近であることを示す外部警告信号は、トリガされる、
請求項１乃至４のうちいずれか一項記載の方法。
【請求項５】
生鮮製品を有するパッケージ内又は前記パッケージ上に与えられる電子タグであって、
前記製品の消費期限は、前記パッケージの前記開封によって影響され、
・  前記パッケージの前記開封を検出する手段と、
・  前記開封されたパッケージに対する前記製品の消費期限を設定する手段と、
・  前記製品の消費期限を示すデータを供給する手段と、
を有する、
電子タグ。
【請求項６】
・  前記製品の消費期限に影響を及ぼす少なくとも１つのパラメータを監視する監視手段と、
・  監視されるパラメータに従って前記消費期限を調整する手段と、
を更に有する、
請求項５記載の電子タグ。
【請求項７】
前記監視手段と前記消費期限を調整する前記手段とを始動させる、始動手段を有し、
前記始動手段は、前記開封検出器によって制御される、
請求項６記載の電子タグ。
【請求項８】
前記パッケージの開封を検出する前記手段は、前記パッケージが開封されたことを示す遠隔検出手段から信号を受ける手段を有する、
請求項５乃至７のうちいずれか一項記載の電子タグ。
【請求項９】
圧力センサを有し、
前記圧力センサは、前記パッケージの前記開封を検出するよう、且つ、前記製品の消費期限に影響を及ぼす圧力を監視するよう、配置される、
請求項５乃至７のうちいずれか一項記載の電子タグ。
【請求項１０】
前記パッケージ内に有される生鮮製品の消費期限状況を監視するパッケージであって、
前記製品の消費期限は、前記パッケージの前記開封によって影響され、
・  前記パッケージの前記開封を検出する、前記パッケージ内又は前記パッケージ上の手段と、
・  前記開封されたパッケージに対する前記製品の消費期限を設定する手段と、
・  前記製品の消費期限を示すデータを提供する手段と、
を有する、パッケージ。
【請求項１１】
・  前記製品の消費期限に影響を及ぼす少なくとも１つのパラメータを監視する監視手段と、
・  監視されるパラメータに従って前記消費期限を調整する手段と、
を更に有する、
請求項１０記載のパッケージ。
【請求項１２】
前記監視手段と前記消費期限を調整する前記手段とを始動させる、始動手段を有し、
前記始動手段は、前記開封検出器によって制御される、
請求項１１記載のパッケージ。
【請求項１３】
読取り装置であって：
・  生鮮製品を有するパッケージが開封されたことを示す信号を遠隔位置から受ける手段と、
・  前記開封されたパッケージに対する前記製品の消費期限を設定する手段と、
を有し、
前記製品の消費期限は、前記パッケージの前記開封によって影響される、
読取り装置。
【請求項１４】
・  前記製品の消費期限に影響を及ぼす少なくとも１つのパラメータを監視する監視手段と、
・  監視されるパラメータに従って前記消費期限を調整する手段と、
を更に有する、
請求項１３記載の読取り装置。
【請求項１５】
前記監視手段は、前記読取り装置から遠く離れ、
前記読取り装置は、そこからデータを受けるレシーバを有する、
請求項１４記載の読取り装置。
【発明の詳細な説明】
【技術分野】
【０００１】
本発明は、パッケージ内に有される食料品等の生鮮製品、医薬品及び他の医療用品の消費期限を設定する（ｄｅｔｅｒｍｉｎｉｎｇ  ｅｘｐｉｒｉｎｇ  ｄａｔｅ）方法に係る。該製品の消費期限は、パッケージの開封によって影響される。本発明は更に、本発明の方法を与えるよう、タグと、缶、瓶、袋、箱等であるパッケージと、リーダとに係る。
【背景技術】
【０００２】
生鮮品の消費期限又は「使用期限（ｕｓｅ−ｂｙ）」の算出及びその後の監視は、瑣末なことではなく、多くの場合において、単に製品のパッケージ上の「使用期限」又は「賞味期限（ｂｅｓｔ  ｂｅｆｏｒｅ）」を見るよりも非常に多くの考慮を有する。例えば、生鮮製品の安全又は有効な寿命は、しばしば、保存される温度に依存する。ひとかたまりのパンを例に取ると、該パンは、室温で保存された場合は３日後に堅くなり得、冷蔵保存された場合は５日又はそれ以上の間新鮮なままであり得る。該パンが冷凍される場合、理想的には購入日に冷凍されるべきであり、その場合は、標準的な冷凍庫温度において１ヶ月間は持つべきである。しかしながら該パンは、一度解凍されると、２４時間以内に消費されるべきである。
【０００３】
米国特許第６，７１２，２７６号明細書（特許文献１）は、生鮮製品及び／又は消耗製品の動的性質に対するシステム及び方法を記載する。該製品には、食料品、医療用品（医薬品等）、及び生物試料が有される。電子タグは、該製品に対して取り付けられる。１つ又はそれ以上のセンササブユニットは、タグへと一体化され、製品の１つ又はそれ以上の動的性質を夫々設定し、また、無線通信を介して遠隔装置に対してかかる設定（ｄｅｔｅｒｍｉｎａｔｉｏｎ）の結果を（定期的に）報告する。１つのかかるセンササブユニットは、温度感知装置を有し得、生鮮製品に関する温度測定を達成させ、続いてその結果、製品の消費期限を設定するよう処理する遠隔装置に対してかかる測定の結果を送るようにする。
【０００４】
ＵＳ  ２００４／０００８１２３（特許文献２）は更に、無線ＩＣ（ＲＦＩＤ）技術を使用して医薬品及び処方薬等、医療装置を監視するシステムを開示する。該システムは、医療装置と関連付けられたＲＦＩＤタグを有する。該タグは、装置に関する情報を有してプログラムされる。一実施例では、タグは、容器の開封状況等の医薬品用の容器に関する状況情報を与えるよう構成される。
【０００５】
ＵＳ  ６，２９４，９９７（特許文献３）は、温度又は圧力等の特定の環境状態を検出するよう、最終的に、経過時間、及び、環境モジュールを測定する計時モジュールを有するＲＦＩＤタグを開示する。
【０００６】
しかしながら、消費期限の設定は、多くの場合において、生鮮製品がある期間にわたって保存されていた温度を単純に設定するより更に複雑である。例えば、瓶、缶及び真空パックにおいてパッケージされた製品の場合を考察する。かかるパッケージは、パッケージの内部からの腐敗剤（ｓｐｏｉｌｉｎｇ  ａｇｅｎｔｓ）を除外する保護雰囲気において充填され、それによって製品の保管寿命を延ばす。しかしながら、一度パッケージが開封されて周囲空気がパッケージに入ると、内容物は、３日等である所定の期間内に消費又は廃棄されるよう求められ、また、この所定の期間は、パッケージが開封された後に製品が保存される温度にも依存し得る。パッケージが開封された生鮮製品を見つける際、パッケージが開封された時をユーザが正確に覚えていない限り、製品の消費期限を設定することは非常に困難である。パッケージ上に印刷された「使用期限」又は「賞味期限」の日付は、この日付がパッケージが未開封のままである際の製品の最大保管寿命を反映しているため、かかる状況においてはあまり役立たない。
【特許文献１】米国特許第６，７１２，２７６号明細書
【特許文献２】ＵＳ  ２００４／０００８１２３
【特許文献３】ＵＳ  ６，２９４，９９７
【発明の開示】
【発明が解決しようとする課題】
【０００７】
故に本発明は、パッケージが開封された後に、生鮮物の少なくとも１つの保存パラメータを監視するシステム及び方法を与え、生鮮物の消費期限の設定が可能となるようにする、ことを目的とする。
【課題を解決するための手段】
【０００８】
本発明によれば、パッケージ内に有される生鮮製品の消費期限の状況を監視する方法が与えられる。該製品の消費期限は、パッケージの開封によって影響される。当該方法は、パッケージの開封を検出する段階、パッケージの開封を検出する段階によって引き起こされる開封されたパッケージに対する製品の消費期限を設定する段階、及び、消費期限を表すデータを供給する段階と、を有する。
【０００９】
また本発明によれば、生鮮製品を有するパッケージにおいて又はパッケージ上での供給に対する電子タグが与えられる。該製品の消費期限は、パッケージの開封によって影響される。該タグは、パッケージの開封を検出する手段、開封されたパッケージに対する製品の消費期限を設定する手段、及び、製品の消費期限を示すデータを供給する手段、を有する。望ましくは前出の特性及び更に以下の特性は、周知の無線ＩＣタグ、短縮してＲＦＩＤタグと一体化されるか、少なくとも組み合わされる。関連する情報は、例えば標準ＩＳＯ  １０５３６及びＩＳＯ  １５６９３において記載される。
【００１０】
更に本発明によれば、パッケージ内に有される生鮮製品の消費期限状況を監視するパッケージが与えられる。該製品の消費期限は、パッケージの開封によって影響される。当該パッケージは、パッケージの開封を検出するパッケージ内又はパッケージ上の手段、開封されたパッケージに対する製品の消費期限を設定する手段、及び、製品の消費期限を示すデータを供給する手段を有する。
【００１１】
本発明はまた、読取り装置にまで及ぶ。当該読取り装置は、生鮮製品を有するパッケージが開封されたことを示す信号を遠隔位置から受ける手段、及び、開封されたパッケージに対する製品の消費期限を設定する手段を有する。該製品の消費期限は、パッケージの開封によって影響される。
【００１２】
故に、本発明は、生鮮製品の消費期限が、パッケージの開封に直接応じて設定され得るようにする。該消費期限は、製品を有するパッケージの開封によって影響される。多くの製品は、パッケージが閉じられている際は比較的ゆっくりと腐敗するが、パッケージが開封されている際は比較的早く腐敗する。一例には、缶詰めの鰯がある。この場合、パッケージの開封を検出すること、及び、消費期限を設定することが重要である。容易な一実施例はタイマであり、該タイマは、２４時間等の初期値を有して搭載され、パッケージが開封される際に開始され、逆行してカウントする。当然のことながら、タイマがゼロで開始されて一定の値まで上昇してカウントする、ことは可能である。消費期限の設定はまた、実際の日付に対して一定の値を単純に足すことによって実行され得、その結果を新しい消費期限として保存する。呼出し読取り装置（ｉｎｔｅｒｒｏｇａｔｉｎｇ  ｒｅａｄｉｎｇ  ｄｅｖｉｃｅ）は続いて、必須である算出段階無しに消費期限を直接読み出し得る。消費期限は更に、実行中のタイマの値を調整することによって設定され得る。製品が製造された日から腐敗されるまで、タイマが日にちを逆行してカウントする、ことは可能である。したがってタイマは、パッケージが閉じられる際、製品が腐敗するまで例えば３０日の初期値を有して搭載され得る。しかし、パッケージが開封されると製品はより早く腐敗する。そのため、タイマの実際の値（例えば７日間残っている）は、１日等の新しい値を有して上書きされ、製品が腐敗する時点においてタイマは、（逆行してカウントする際は）ゼロに達し、（上昇してカウントする際は）一定の値に達する。続いて、製品の消費期限を示すデータは、読取り装置に対して送られ得る。一定の消費期限又はその日までの期間に加えて、データは、「非常によい」、「よい」、又は「腐敗している」等の製品の一定の状況も有し得る。
【００１３】
前出の製品の消費期限に影響を及ぼす少なくとも１つのパラメータが監視される場合、消費期限は監視されるパラメータに従って調整される、ことが望ましい。消費期限を設定するよう所定の期間を取ることは、一定の種類の製品に対しては効果がよくあるおおよそ粗い方法であり、保存条件に対して比較的敏感である他の群の製品に対して適用される際は、望ましくは改良される。鰯がいかなる場合においても保存条件に関わりなく例えば１日以内に消費されなければならない一方で、瓶詰めのパスタは、冷暗所におかれる場合、開封後も比較的経過しても消費され得る。したがって、製品の消費期限に影響を及ぼす重要なパラメータは、温度であり、該温度は定期的に測定され得る。温度が例えば摂氏８度を下回る所定の範囲内に維持される場合、開封されたパッケージに対する予測消費期限は、調整されない。温度がこの値を上回って動く場合、消費期限は調整され、この場合は短縮される。また、消費期限が、悪い状態に対して予測され、保存条件が見込まれるよりも優れている際に延長される、ことも可能である。これは、製品が一定の状態下でどれだけ早く腐敗するかに関する情報を有するテーブルを用いて達成され得る。この情報は、一定の製品に対して実行される実験の結果であり得る。
【００１４】
更には、パラメータ監視及び消費期限調整が、前出のパッケージの開封を検出することによって開始される、ことが望ましい。このことは、監視手段が所望される際にのみアクティブであるため、消費電力を最低限に抑えるという追加的な有利点を有する。更には、保存条件の履歴を格納するよう配置されるメモリはまた、測定が常に行われている方法に対するメモリより小さい。例えば、タグのプロセッサは、開封検出器を監視し得、開封検出器の状態変化を検出する時を監視するパラメータを作動させ得る。
【００１５】
また、パッケージの開封を検出する前出の手段が、パッケージが開封されたことを示す遠隔検出手段から信号を受ける手段を有する、ことは望ましい。このようにして、タグ及び開封検出器は別個の部分であるため、該開封検出器及びタグは、異なる場所において取り付けられ得る。例えば、開封検出器は、瓶の縁上に取り付けられる。該縁は金属を有して作られるため、タグとリーダとの間の無線通信に影響を与え得る。それ故に、タグは、瓶の下部において取り付けられ、遠隔開封検出器に対して接続される。
【００１６】
有利には、前出のパッケージの開封の検出は、パッケージ内の圧力を監視すること、リップストリップ（ｒｉｐ  ｓｔｒｉｐ）の状況を監視すること、あるいは機械的スイッチのうち１つ又はそれ以上を有する。製品が真空下で充填される場合、例えばパッケージ内の圧力は、開封される際に有意に変化する。故に圧力の測定は、開封検出に対して使用され得る。このことはまた、「ゆっくりとした」開封として解釈される圧力がゆっくりと変化する漏洩パッケージに効果がある。いずれにしても入来する酸素は、製品の腐敗を加速させる。圧力センサに加えて、蓋のポップアップボタンにおける機械的スイッチ及びリップストリップと同様の単純な機械的構造は、開封検出に対して使用され得る。例えばリップストリップは、朝食用のシリアル等から既知である通り、開封に対してギザギザの形状のストリップを有する板紙又はプラスチックのパッケージに対して適用可能である。導電性リップストリップをギザギザ形のストリップにわたって単純に配置することは、ギザギザ形のストリップを剥がす際のリップストリップの損傷に繋がる。
【００１７】
前出のパッケージの開封の検出、及び前出の製品の消費期限に影響を及ぼす少なくとも１つのパラメータの監視が単一の圧力センサによって達成される際は、更に有利である。それ故に、消費期限もパッケージが開封された後のパッケージ内の圧力に依存し得るため、圧力センサは協働して（ｉｎ  ａ  ｓｙｎｅｒｇｅｔｉｃ  ｗａｙ）役割を果たす。一例は、酸素に触れる際に発酵する製品であり、該発酵は通常、パッケージ内の圧力を高める。この圧力が測定される場合、消費期限は、より正確に算出され得る。
【００１８】
望ましい一実施例では、パッケージが開封された後の製品の消費期限に影響を及ぼすパラメータは時間を有し、製品は、パッケージが開封された後に所定の時間を満了するよう設定される。有益には、製品及び／又はその周囲の温度は、パッケージが開封された後に監視され得る。また、パッケージ内の圧力を測定することも望ましい。更なる可能性は、酸素が通常は製品の腐敗を加速させるため、パッケージ内の空気を測定することである。
【００１９】
当該方法は、製品の消費期限が切れていること、若しくは切れそうであることを示す外部警告信号のトリガを更に有し得る。前者の場合、ユーザは製品がすでに腐敗しているという情報を得、後者の場合、ユーザは製品が腐敗する前にそれを消費する機会を追加的に得る。警告信号はまた、「腐敗しそうである」又は「腐敗している」等の製品の状況を有し得る。
【００２０】
前述された事実は、本発明の方法、本発明のタグ、本発明のパッケージ、及び本発明のリーダに対して適用可能である。機能のうちの複数は更に、リーダへと一体化され得、結果的に機能の分割がもたらされる。したがって、読取り装置が、生鮮製品を有するパッケージが開封されたことを示す信号を遠隔位置から受ける手段、及び開封されたパッケージに対する前出の製品の消費期限を設定する手段を有する、ことは可能である。該製品の消費期限は、前出のパッケージの開封によって影響される。この場合、タグ又はパッケージは、リーダに対して開封状況の変化を送る。その後、該リーダは、製品に対する消費期限を設定する。そのため、例えば「牛乳」、「チーズ」、又は「ソーセージ」である製品の種類等の追加的なデータは、消費期限のより優れた設定を可能にするよう、リーダに対して送られ得る。
【００２１】
読取り装置が、前出の製品の消費期限に影響を及ぼす少なくとも１つのパラメータを監視する監視手段、及び監視されるパラメータに従って前出の消費期限を調整する手段を有する際は、更に有利である。このようにして、単一のリーダが、かかるセンサを必要としない複数のパッケージに対する温度等の保存パラメータを監視する、ことは可能である。一例は、内部空間が略同一の温度を有する冷蔵庫におけるリーダである。
【００２２】
最後に、前出の監視手段が装置から遠隔にある際も有利であり、読取り装置は、そこからのデータを受けるレシーバを有する。この場合における保存条件の監視は、タグ又はパッケージ内で起こる。それ故に、各パッケージは、（パッケージの外側では設定され得ない）測定された圧力に対する値等をリーダに対して送り、リーダはその情報に基づき再度消費期限を調整する。
【発明を実施するための最良の形態】
【００２３】
本発明のこれらの及び他の態様は、本願中に記載される実施例を参照して明らかに説明される。
【００２４】
これより本発明の実施例は、例証として記載され、添付の図面が参照される。
【００２５】
前述された通り、生鮮アイテムの消費期限又は「使用期限」の算出及び監視が必ずしも瑣末なことではないことは、はっきりされており、本発明は、この工程に関連付けられる問題のうちのいくつかに対して解決策を与える。以下に続く特定の説明において、参照される生鮮アイテムは、食料品を有する。しかしながら、本願中に記載される実施例は、他の種類の生鮮アイテムに対して同等に適用可能である、ことは理解される。該他の種類は一般的に、缶、箱、袋、瓶、ボトル、及び同様のものにおいてパックされた医療用品、医薬品、生物試料等を有する。
【００２６】
図１は、複数の異なる製品に対して適用される保存条件の複数の事例をグラフで示す。トレース１００を参照すると、プラスチックの包装又は同様のものにおけるパンは、室温において保存される際は数日持ち得る。しかしながらその寿命は、パンが焼かれて１日以内に冷凍することによって大幅に延長され得る。続いて、該パンは、１ヶ月まで冷凍庫温度において保存され得る。しかしながら、解凍されると２４時間以内に消費されなければならず、その時間より後に残ったパンは、図１中のグラフではＸ印によって示される通り、廃棄されるべきである。
【００２７】
一方では、トレース１０１を参照すると、瓶詰めのパスタソースは、例えば１年間まで室温で保存され得、この保管寿命は、瓶上に印刷される傾向がある。しかしながら、一度開かれると、内容物は、冷蔵庫に入れられて例えば開封から３日以内に小異されるよう求められる。製品が冷蔵庫から出して置かれる期間は、最低限に維持されなければならず、さもなければ製品はより早く腐敗すると見込まれる。かかるガイドラインが守られることを前提に、残っている製品は、瓶が開けられて３日後に廃棄されるべきである。
【００２８】
トレース１０２を参照すると、真空パックの冷凍食品は、通常、製品が冷蔵庫で保存されていることを前提に、パッケージ上に印刷されている傾向がある「使用期限」までに食されるべきである。しかしながら、購入した日に可能な限り早く冷凍することを前提にして製品を冷凍することは、しばしば可能であり、製品の寿命が例えば１ヶ月間延ばされ得る。このことは図１中のグラフには示されていないが、該食品が冷凍されている場合、該製品が食される前に完全に解凍されることを確実にすることは、重要である。
【００２９】
最後にトレース１０３は、小型容器のアイスクリームを示す。該アイスクリームは、店舗の保冷ユニットから取られて、家庭用の冷凍装置においてある期間保存されるところである購入者の家に輸送される。製品が冷凍装置から外に出されている期間は、可能な限り短くなければならず、図示された場合において、小型容器のアイスクリームは、一度解凍されると製品を再度冷凍することは許されないため、廃棄されるべきであるよう解凍され得ている。
【００３０】
これより図２ａを参照すると、本発明の一実施例に従ったパッケージ２４０は、ねじ蓋２４２を有する瓶２４１を有し、内部に生鮮製品（図示せず）が有され得る。該製品は、保護空気において瓶２４１へともたらされている。故に、製品は、瓶２４１が密封されている間は比較的長い保管寿命を有する。この保管寿命は、一般的には、瓶２４１のくび部上に与えられる従来通りの「使用期限」２４３によって示される。瓶２４１の側壁上のラベル２４４は更に、瓶２４１が開封され次第適用する保存条件の表示２４５を与える。該表示は、例えば、「くび部の使用期限を見ること。開封後は、冷蔵庫保存で３日以内に使用のこと。」である。
【００３１】
瓶２４１の蓋２４２は、従来通りの「ポップアップ」ボタン２４６を備えられる。該ボタンによってユーザは、瓶２４１が開封されたか、あるいは手を付けられたかを検出し得る。本発明のタグ２１０は、瓶２４１の基部において与えられ、望ましくはそこに固定される。この場合、（ＲＦＩＤ）タグ２１０が可能な限り（金属の）蓋２４２から離れて位置決めされ、ＲＦ信号に金属の蓋２４２が干渉する可能性を最低限に抑える、ことが望ましい。一実施例では、特別なラベル２４７は、例えばポップアップボタン２４６と関連付けられて瓶２４１の蓋２４２上に与えられ得、タグ２１０の存在を潜在的消費者に対して示し、その結果、特定の瓶２４１が、同一の製品を有する他の同程度の瓶を上回る利点を与えるサービスを与えることができる、ことを消費者に対して示す。いずれにしても、タグ２１０の存在及びその機能性について消費者に知らせ、タグ２１０の目的に対して有し得るプライバシーに対する懸念（ｐｒｉｖａｃｙ  ｃｏｎｃｅｒｎｓ）を和らげるようにする、ことが所望され得る。
【００３２】
図２ｂを参照すると、タグ２１０の構造は、瓶２４１の下面からより詳細に見られ得る。タグ２１０は、ループアンテナ２１９を駆動させる制御回路２２２を有し、圧力センサ２１６ｃからの信号を受け、パッケージ２４０が最初に開封されてから経過した時間をタイマ２１４を介してトラッキングできる。
【００３３】
より詳細には、タグ２１０は、パッケージ２４０が最初に開封される瞬間を検出する圧力センサ２１６ｃを有する。開封検知は、図２ｂ中の配置において図示される通り、圧力センサ２１６ｃ、又はリップストリップ２１６ｂ、又は従来通りのポップアップボタン２４６と関連付けられる機械的スイッチ２１６ａ、２１６ａ’によって達成され得る。実際には、パッケージ２４０が最初に開封される時を設定する多くの異なる方途は、当業者にとっては明らかであり、本発明はこれに関して制限的であるよう必ずしも意図されない。温度計等の温度センサ２１５は、定期的にあるいは別に、製品及び／又は監視される安全な保存時間に影響を及して取り囲むパッケージの温度を感知するよう使用され得る。
【００３４】
アンテナ２１９は、遠隔読取り装置（図示せず）に対してＲＦ信号を送るよう求められる。図示される例では、アンテナ２１９は、既知のＲＦＩＤタグにおいて使用されるものと同様のループアンテナであるよう図示される。手段は、パッケージ２４０が最初に開封されてから経過した時間を測定するよう与えられるが、多くの場合、時間の経過は、本発明の目的に対して特に正確に測定される必要はない。例えば、缶又は瓶２４１において与えられる製品が監視される必要があり得る時間の最大の長さは、典型的にはたった数日であり、その場合、かかる数時間に対して１時間等の不一致は許容可能である。他方では、家庭用の冷凍庫で数ヶ月間正当に保存され得る製品の場合、全体の期間に対して数日の不一致は許容可能である。
【００３５】
タグ２１０は更に、少なくともタイマ２１４を動かすよう電源２１８（図示せず）を備えられる。装置がアクティブなタグ２１０の機能を果たす場合、電源２１８は、リーダ２２０（図示せず）に対して少なくとも短い信号を送るよう、ＲＦ回路を駆動することができなければならない。このことにより、製品の消費期限状況、及び（場合によっては）製品が消費又は廃棄されなければならない前に残された時間を示す随時の報告をタグ２１０が送ることは、予想される。例えば、多くの適用に対して、１日１度の信号は適切である。しかしながらあるいは、信号は、製品の消費期限状況が変更する際、又は変更しそうな際に送信され得るのみである。
【００３６】
図３ａは、ポップアップボタン２４６を有する蓋２４２に対する開封検出器の一例を示す。ビン２４１は、簡潔にするよう割愛されている。製品が真空下でパッケージ２４０へと充填されたため、ポップアップボタン２４６は図３ａ中に示される下方位置にある、と考えられる。現時点で（ｃｕｒｒｅｎｔｌｙ）接触している第１のスイッチング接点２１６ａ及び第２のスイッチング接点２１６ａ’は、（閉じられた）開封検出器スイッチを形成する。パッケージ２４０が続いて開かれる場合、ポップアップボタン２４６は、その上方位置まで動き、故にスイッチ２１６ａ、２１６ａ’を開く（図３ｂ中に示す）。接点２１６ａ、２１６ａ’が電流ループを形成するプロセッサ２１２に対して与えられる際、該接点は、このようにして開封検出器としての役割を果たし得る。
【００３７】
図４は、リップストリップ２１６ｂの形状における開封検出器に対する更なる可能性を示す。製品が瓶２４０へと充填された後に蓋２４２が瓶２４１上へと置かれる際、リップストリップ２１６ｂは、蓋２４２、及び瓶２４１に対して接続され、故に密封する。パッケージ２４０が開封される場合、リップストリップ２１６ｂは破損される。リップストリップ２１６ｂも、それが電流ループの一部分である場合、開封検出器としての役割を果たし得る。
【００３８】
開封検出器を実現するには複数の可能性がある、ことは留意されるべきである。したがって、スイッチ２１６ａ、２１６ａ’及びリップストリップ２１６ｂは、かかる機械的開封検出器の単なる実施例としての役割を果たす。
【００３９】
これより図５ａを参照すると、本発明の一実施例に従って使用される電子タグ２１０が図示され、その上部には、タグアンテナ２１９に対して接続される無線インタフェイス２１１、プロセッサ２１２、タイマ２１４、メモリ２１３、及び電源２１８を備えられる。プロセッサ２１２は、無線インタフェイス２１１及びメモリ２１３に対して接続される。更にタイマ２１４は、プロセッサ２１２に対して接続される。最後に電源２１８は、無線インタフェイス２１１に対して接続される。
【００４０】
図５ａは更に、読取りアンテナ２２１を有する所謂リーダ２２０を示す。リーダ２２０は、象徴的に示された電波を介してタグ２１０と連絡する。また、タグ２１０自体上にはないがそれに対して接続される、リップストリップ２１６ｂも図示される。
【００４１】
図５ａ中に示される配置の機能は、以下の通りである。生鮮製品が製造される際、消費期限は、リーダ２２０を用いてメモリ２１３へと書き込まれる。パッケージ２４０が未開封である際に製品は大変早くは腐敗しないが、パッケージ２４０が開封される際に大変早く腐敗すると考えられるため、この例においては、開封されたパッケージ２４０に対する消費期限のみが、保存される。一例は、缶詰の鰯である。該缶詰の鰯は、冷却保存されて以内場合でも数年間にわたって保存され得るが、缶が開封されたら１日以内に消費されるべきである。
【００４２】
リーダ２２０がリーダコイルを介して磁場を発する際、該磁場は、タグコイル２１０によって受けられ、無線インタフェイス２１１に対して送られる。プロセッサ２１２におくられるデータのみが磁場から抽出されるのではなく、電力もまた抽出され、電源２１８によって視覚化される。望ましくは電源２１８は、アキュムレータ又はキャパシタ等の格納手段を有し、タグ２１０は、磁場とは無関係に働き得る。当然のことながら、消費期限に加えて他の追加的なデータもタグ２１０上に格納され得る。該追加的なデータは、一意的な識別番号、製品の含有物、価格、製造者等である。この書き込み工程後、パッケージ２４０は、周知の通りにパッケージ２４０をこれより開封する消費者のもとに来る。
【００４３】
タイマ２１４は、タグ２１０が供給される製品パッケージ２４０が開封されたことを示すリップストリップ２１６ｂからくる信号によってトリガされる。タイマ２１４はゼロから開始して上昇方向にカウントする、と考えられる。「食べることができる」から「腐敗している」までの状況を変えるよう、プロセッサ２１２は、タイマ２１４の値をメモリ２１３中に格納される消費期限と定期的に比較する。該消費期限は、パッケージ２４０の開封から、製品がこの場合は腐敗していると考えられるまでの期間である。それ故に、独立した電源２１８が必要とされる。
【００４４】
パッケージ２４０が冷蔵庫の一部であり得るリーダ２２０の近くに保存される際、リーダ２２０は、タグ２１０に問い合わせをし得る。その場合、プロセッサ２１２は、製品が腐敗するまでの期間を算出し得、かかる値をリーダ２２０に対して送る。リーダ２２０は、製品が消費期限切れである又は切れそうである場合に、ユーザに警告し得る。
【００４５】
図５ｂは、本発明の他の実施例を示し、図５ａに従った実施例と比較すると、電子タグ２１０は、いずれもプロセッサ２１２に対して接続される温度センサ２１５及び圧力センサ２１６ｃを更に有する。図５ａとは対照的に、タイマ２１４は、外部開封検出器から単一のラインによってトリガされない。最後にリーダ２２０は、明確にするよう割愛される。
【００４６】
タグ２１０はこれより、パッケージ２４０内に取り付けられる。生鮮製品は、夫々低減された圧力の真空下でパッケージされるため、後にパッケージ２４０の開封は、パッケージ２４０内の圧力の有意な上昇をもたらす。この早い上昇は、圧力センサ２１６ｃによって測定され、プロセッサ２１２に対して報告され、パッケージ２４０の開封として解釈される（この解釈は、圧力センサ２１６ｃ内でも行われ得る）。
【００４７】
図６ａに従った表、及び例えば「２００５年１月３０日」である消費期限は、生鮮製品が製造された際にメモリ２１３中に格納された、と考えられる。該表は、減少要素を示し、該要素は、保存温度及びパッケージ２４０の開封状況に依存する。消費期限は、特に製品が冷凍されている際に理想的な状態に対して算出される。従って、パッケージ２４０が摂氏５度を下回って保存される場合、消費期限は減じられない。しかしパッケージ２４０が例えば摂氏７度において保存される場合、消費期限は次の式、
Ｄａｔｅｎｅｗ＝Ｄａｔｅｏｌｄ−Δｔｉｍｅ・Ｋｒｅｄ  （日付新しい＝日付古い−Δ時間・Ｋ減）
に従って減じられる。該式中、Δｔｉｍｅは２つの温度測定の間の期間、Ｋｒｅｄは表に従う要素、Ｄａｔｅｏｌｄは古い消費期限、Ｄａｔｅｎｅｗは新しい消費期限、である。従って、例えば温度が８時間毎に測定され、且つ温度７度が測定される場合、消費期限は、各測定に対する未開封のパッケージに対して０．４・８時間＝３．２時間分を低減される。パッケージ２４０はが常に３０日間保存される場合、消費期限は、「２００５年１月１８日」に減じられる。ユーザがパッケージ２４０を開封し、冷蔵庫から出しておくと、温度は摂氏２１度まで上昇し、消費期限は、減少要素２．０がこれから選択されるため、８時間（８ｈ）毎に１６時間（１６ｈ）分減じられる。したがって、ユーザがパッケージ２４０を更に５日間冷蔵庫から出しておく場合、消費期限は、「２００５年１月８日」に変えられる。
【００４８】
タグ２１０は、製品の状況を設定するよう配置され得る。したがって状況は、「優れている」から「よい」まで、及び「食べることができる」から「腐敗しそうである」及び「腐敗している」まで、変化し得る。これは、品質がチーズ等の保存時間及び保存条件に非常に依存する製品に対して有用であり得る。一片のカマンベールチーズは、一定の期間優れており、その後は食べることはできるが以前ほど味がよくない。この場合、チーズがその最高品質に達するよう一定期間に熟成していると、状況は「よい」から「優れている」に変わり得、再度「よい」に戻る。
【００４９】
タグ２１０は、製品が完全に腐敗する２日前等にユーザに警告するよう配置され得るため、ユーザはそれを消費する機会を有する。この期間は、固定又は可変であり得る。後者の場合、プロセッサ２１２は、保存条件を考慮し、且つ取扱いに対する一定の時間を予測するよう配置される。これは、製品が望ましくは一定の状況を有して消費される場合等に有用である。従って、カマンベールチーズの例に戻ると、プロセッサ２１２は、保存条件に依存して一定時間続く最も高い品質を製品が有する際に、ユーザに警告するよう配置され得る。タグ２１０の出力は、通常はリーダ２２０を用いて実行され、「最高の状態を楽しむよう、製品「カマンベールチーズ」を２日以内に召し上がってください」となり得る。この期間は変動するため、製品が冷却保存されている場合に１０日であり得る。
【００５０】
更に、消費期限は、例えば製品を室温で保存する最悪の状態に対して算出され、よりよい状態で保存される際は延長される、ことは可能である。対応する表は、従って、図６ｂ中に示されるものと同様であり得、延長要素Ｋｅｘｔを有する。消費期限を適合させる式は、
Ｄａｔｅｎｅｗ＝Ｄａｔｅｏｌｄ＋Δｔｉｍｅ・Ｋｅｘｔ  （日付新しい＝日付古い＋Δ時間・Ｋ延）
である。
【００５１】
２つの温度測定の間の期間が固定されている場合、要素の代わりに表内の絶対時間値を保存することは、可能である。要素は特に、温度が上昇した場合に前出の期間が減じられる際に有用であり、消費期限は、危機的な状態下でさえ正確に算出され得る。したがって例えば測定は、製品が冷凍されている際は毎日行われ、製品が摂氏１５度を上回って保存される場合は１日４回行われ得る。更に、測定期間は、製品が製造される際にメモリ２１３において格納される、ことが考えられ得る。かかる表に対する一例は、図６ｃ中に示される。追加的な列「時間」は、次の温度測定が保存温度に依存して行われなければならない時を示す。更に表は、絶対時間値以外の延長又は削減要素を示さない。表中の全ての値は、更に、数日において示され、新しい消費期限は、プロセッサ２１２によってより容易に（単純に加法及び減法を有して）算出され得る。それは、より少ない操作を有することを意味し、更にはより少ないエネルギを有することを意味する。これは電源２１８において格納される制限されたエネルギの観点からは重要であり得る。表６ｃ中の値は、表６ｂからの値から導かれる。特には、パッケージが再度閉じられる際によりゆっくりと製品が腐敗する場合、「再密封」という列もあり得る。
【００５２】
更には、図６ａ、図６ｃ中に示される表より、消費期限を減少又は延長する関数（ｆｕｎｃｔｉｏｎ）を使用する、ことは可能である。そうするよう容易な方途は、図７中に示される通り、次の一次方程式、
Ｄａｔｅｎｅｗ＝Ｄａｔｅｏｌｄ−Δｔｉｍｅ・（０．５＋０．７・Ｔｅｍｐ・［１／１０℃］）  （日付新しい＝日付古い−Δ時間・（０．５＋０．７・温度・［１／１０℃］））  （開封されたパッケージ）
Ｄａｔｅｎｅｗ＝Ｄａｔｅｏｌｄ−Δｔｉｍｅ・（０．３＋０．１・Ｔｅｍｐ・［１／１０℃］）  （日付新しい＝日付古い−Δ時間・（０．３＋０．１・温度・［１／１０℃］））  （閉じられたパッケージ）
Ｄａｔｅｎｅｗ＝Ｄａｔｅｏｌｄ−Δｔｉｍｅ・（０．４＋０．３・Ｔｅｍｐ・［１／１０℃］）  （日付新しい＝日付古い−Δ時間・（０．４＋０．３・温度・［１／１０℃］））  （再度閉じられたパッケージ）
を使用することである。初期の消費期限は、対応するグラフがダイアグラムの横座標と交わるところの温度に対して有効である。本場合において、これは、閉じられたパッケージに対して摂氏−３０℃、開封されたパッケージに対して摂氏マイナス７℃である。初期の消費期限が０度であると設定される場合、方程式中の定数は、望ましくは下げられ得る。
【００５３】
図７中のグラフはまた、再度閉じられる開封されたパッケージ２１０を考慮する可能性を示す。通常、パッケージ２１０が開封されたままにされる際、パッケージが再度閉じられる際と比較して、製品はより早く腐敗する。この事実は、製品の消費期限をより正確に調整するよう使用される。それ故に、パッケージ２１０の開封及び密封のいずれも検出することができる、特別の開封検出器が必要とされる。瓶２４１上及び蓋２４２の下方側上の導電層は、電流ループを形成し、この目的のための役割を果たし得る。
【００５４】
提案される方法が消費期限を延長するようにも働く、ことを理解するのは容易である。一例（図示せず）は、
Ｄａｔｅｎｅｗ＝Ｄａｔｅｏｌｄ＋Δｔｉｍｅ・（２−０．７・Ｔｅｍｐ・［１／１０℃］）  （日付新しい＝日付古い＋Δ時間・（２−０．７・温度・［１／１０℃］））  （密封パッケージ）
Ｄａｔｅｎｅｗ＝Ｄａｔｅｏｌｄ＋Δｔｉｍｅ・（０．８−０．４・Ｔｅｍｐ・［１／１０℃］）  （日付新しい＝日付古い＋Δ時間・（０．８−０．４・温度・［１／１０℃］））  （再度閉じられたパッケージ）
Ｄａｔｅｎｅｗ＝Ｄａｔｅｏｌｄ＋Δｔｉｍｅ・（０．６−０．３・Ｔｅｍｐ・［１／１０℃］）  （日付新しい＝日付古い＋Δ時間・（０．６−０．３・温度・［１／１０℃］））  （開封されたパッケージ）
である。更に、非常に多種の関数が消費期限を調整するよう使用され得る、ことを理解するのは容易である。複数の例は、多項式関数、対数関数、指数関数等である。
【００５５】
また、圧力センサ２１６ｃがパッケージ２４０の開封を検出するよう使用されるのみではなく、消費期限を設定するようにも使用される、ことも考えられる。製品の消費期限もパッケージ２４０内の圧力に依存する、ことは可能であり得る。したがって、圧力に依存して消費期限を短縮又は延長する要素を有する第２の表があり得る。この場合、漏れやすいパッケージ２４０に対する消費期限も設定され得る。漏れは、本発明の目的に対して「ゆっくりとした」開封と見なされ得る。
【００５６】
一般的に、温度センサ２１５及び圧力センサ２１６ｃは腐敗した製品の検出を考慮して典型的な意味を有する、ことが留意されるべきである。当業者は、多種のセンサがかかる目的に対して適用可能であり、且つ監視に関する提案された方法と共に効果がある、ことを容易に想像し得る。一例は、パッケージ２４０内の空気の化学構造を設定するよう配置されるセンサである。製品は、内部の酸素が高率である場合により早く腐敗する、ことを容易に理解する。
【００５７】
図５ｃは、本発明の更に他の実施例を示す。図５ａと比較すると、タイマ２１４は、プロセッサ２１２へと一体化される。例えばこれは、プロセッサ２１２におけるトクシュレジスタであり得る。標準的なアプリケーションにおいて時間の監視がしばしば必要とされるため、かかるタイマ２１４は、標準的なプロセッサ２１２において大変一般的である。時間の絶対値は、出力がプロセッサ２１２へと与えられる追加的なクロック発振器２１７から導かれる。かかる一体化タイマの機能は、当業者に対して明確であるため、更には説明されない。
【００５８】
最後に図５ｄは、本発明のタグ２１０に対する更なる変形を示す。図５ｃ中のレジスタは割愛され、メモリ２１３中の特定のアドレスがその代わりに使用される。したがって、タイマ２１４は、メモリ２１３において一体化される。その値が変えられなければならない度に、該値は前出のアドレスから取られ、変化され、再度書き戻される。この技術はまた周知であり、更なる説明を必要としない。
【００５９】
最後に、本発明の特性は再度要約される。所定の保存「ルール」は、プロセッサ２１２内に保存され得る。該ルールは、続いて、保存ルールを有して、温度測定によって示される実際の保存条件と比較するよう配置され得る。
【００６０】
生鮮製品において又は生鮮製品上にタグ２１０を与えることで、製品の保存条件は、その特定の製品に対する所定の状態と比較され得、また、発生している又は発生しそうである相違が報告され得、即時又は早々に、製品に対する何らかのアクションが求められるという警告として作用する。しかしながら、タグ２１０は受動モードにおいて使用され得、その場合、製品の状況は、タグ２１０が実際にリーダによって調べられるまで報告されない。いずれの場合においても、リーダは、ユーザに対してアラーム又は警告信号を生成するよう配置され得、消費期限に達したあるいは近づいている製品に関して、アクションが求められるあるいは間もなく求められるであろう、ことを知らせる。
【００６１】
一般的には、タグ２１０に対する本発明の多くの実施例において、製品が使用される度にパッケージ２４０の開封を示す開封センサ２１６ａ、２１６ａ’、２１６ｂ、２１６ｃからの信号によって、該タグが再度トリガされる必要はない。かかる場合において、単純に、パッケージ２４０の最初の開封に応じてタイマ２１４を開始する、ことはより効率的であり、続いてタイマは、最初の開封から経過した時間を自動的にトラックし続ける。図５ｂ乃至５ｄ中に示される実施例における通り、温度センサ２１５は、適合される際、プロセッサ２１２に対して定期的に読取りデータを供給するよう配置され得る。それは、温度の読取りデータを特定の製品に対する上述された保存ルールと比較することによって、該製品に対して適用される保存条件に関するアセスメントのためである。多くの製品（気密の管及び瓶においてパックされた製品等）に対して、開封検出器２１６ａ、２１６ａ’、２１６ｂ、２１６ｃからの信号によって示される通り、パッケージが最初に開封されるまで温度のデータを取り始めること必ずしも必要ではない、ことは理解される。
【００６２】
故に、上述される例において、タグ２１０自体は、パッケージ２４０の最初の開封後、該タグが取り付けられているところの製品に関する時間及び温度状態のアセスメントを行う。しかしながら、他の一実施例では、リーダ２２０は、配置され、該リーダが関連付けられる全ての製品に関する時間及び／又は温度状態を示すデータを受けるよう、また必要不可欠な比較及び監視機能を実行するよう、構成され得る。他方では、リーダが関連付けられる全ての製品の時間スケジュールをトラックし続けるようリーダ２２０に依存するより、タグ２１０自体が時間及び／又は温度状態のアセスメントを行うことにおいては、複数の利点がある。例えば、リーダ２２０が冷蔵庫における全ての製品に対する消費期限スケジュールを監視するよう配置される場合、警告信号は、すでに消費又は廃棄された製品に対して生成され得る。（また、ユーザは廃棄される際に各製品に対する警報機能を無効にするよう求められ得る。）その一方で、各タグ２１０が関連付けられる製品に関して監視機能を実行する場合、パッケージ２４０が廃棄される際、タグ２１０はパッケージ２４０と共に廃棄される。その結果、リーダ２２０の作動範囲内からタグを取り外し、廃棄される製品に関して生成される（更なる）警報信号を止める。
【００６３】
当然のことながら、当該生鮮製品が医薬品である場合、リーダ２２０は、配置され、たとえばパッケージ２４０を開封の度に監視すること、及び（用量によって）該製品が毎回取られる量、それによって残されている量を算出することによって、パッケージ２４０において残されている製品の量を監視するよう構成される。実際、薬の服用を逃さないよう確実にするよう、あるいは取りすぎの場合は警告を与えるよう、製品の使用についてアクティブにトラックし続けるよう配置され得る。残っている製品の量が一式のパッケージ２４０に関して監視されている、いずれの場合においても、リーダ２２０がかかる製品の全てに対して時間スケジュールを監視するよう配置され得る、ことは考えられ得る。これは、パッケージが空であると知覚されるとすぐにそれが廃棄されたことを「推測」するようリーダが配置され得るためであり、その結果、夫々の警報信号の自動的な停止がトリガされる。このことは、パスタソースの瓶２４１等の食料品の場合は、パッケージ２４０が開封される度に製品のうちどれだけの量（あるとすれば）が使用されるかを知る方法をリーダ２２０は有さないため、特に実用的ではない。
【００６４】
冷蔵保存される必要がある食品及び医薬品の場合、例えば本発明の一実施例に従ったタグは、配置され、かかる製品が冷蔵庫から出されたままにされていることを該タグが設定する場合に警報又は警告信号を生成するよう構成され得る。（かかる設定は、例えばある所定の期間より長い間受けられる連続的に上昇する温度に応じる。この計時は、第１の上昇温度データの受領に応じてトリガされ得る。）
これより図８を参照して説明されるのは、パッケージ２４０内に有される生鮮製品の消費期限状況を監視する、本発明の一実施例に従った方法である。パッケージ２４０が最初に開封されたことが設定されるまで、アクションは取られない。これに応じて、タグ２１０又は遠隔位置（リーダ２２０内等）におけるプロセッサ２１２は、正しい（推奨される）保存条件のもとで製品の消費期限までの時間を設定、続いてタイマ２１４を開始する。更に、温度センサ２１４は、製品及び／又はパッケージ２４０が位置する環境の温度を監視し始めるようにされる。測定された温度は、推奨される保存条件に関して、保存される温度と比較される。測定された温度が許容可能な保存条件であり、製品が消費期限切れであると考えられない場合、温度測定及び比較工程は、所定の時間Ｔ後も反復される。他方では、測定された温度が許容可能な保存条件外であった場合、消費期限までの時間は調整され、誤った保存条件を見込んで調整され、警告信号は生成され得る。続いて、製品が消費期限切れではない場合、温度測定及び比較工程は所定の期間Ｔ後も反復される。いずれの場合も、（消費期限切れまでの設定された時間及びタイマの状況に従って）製品が消費期限切れである、あるいはもうすぐ消費期限切れになると考えられ次第、警告信号は生成される。
【００６５】
当然のことながら、タグ２１０が完全に受動モードにおいて使用されることも可能である。その場合タグ２１０は、リーダ２２０によって報告するよう指示される際にその状況を報告するのみである。この場合、電源２１８は、タイマ２１４及び（与えられる際は）温度センサ２１５を動かし得る必要があるのみである。いずれの場合においても、リーダ２２０のアクションによって定期的に供給される場合は、少量の電力が求められ、電力貯蔵の容量性の方法は適切であると思われる。また、計時手段がリーダ２２０において組み込まれることも可能であり、該計時手段は、温度又は圧力を測定するよう、また、パッケージ２４０の開封状況を送るよう、タグ２１０に問い合わせをする。この場合、タグ２１０は、完全に受動的であり得、測定に対するエネルギがリーダ２２０の磁場からくるため電源２１８がエネルギを保存する必要がないことを意味する。この実施例が閉鎖系（ｃｌｏｓｅｄ  ｓｙｓｔｅｍｓ）においてのみ効果を有する、ことは留意されるべきである。パッケージ２４０が実生活での製品であるように移動する場合、望ましい解決策は、パッケージ２４０内を監視することである。
【００６６】
留意されるべきであるのは、上述された実施例が本発明を制限するのではなく例証するものであること、並びに、添付の請求項に定義付けられる本発明の範囲から逸脱することなく多くの他の実施例を当業者が設計することができること、である。請求項中、括弧内の参照符号は、請求項を制限するよう解釈されるべきではない。「有する」及び同様の語は、請求項中及び本願全体に挙げられる要素又は段階以外のそれらの存在を除外するものではない。単数形で称される要素は、かかる要素の複数の存在を除外するものではなく、その逆も真である。本発明は、複数の異なる手段を有するハードウェアによって、及び適切にプログラムされたコンピュータを用いて、実施され得る。複数の手段を列挙する装置請求項において、かかる複数の手段は、１つ及び同一のハードウェアによって実現され得る。特定の方策が互いに異なる独立請求項において挙げられるという単なる事実は、かかる方策の組合せが有利に使用され得ない、ことを示すものではない。
【図面の簡単な説明】
【００６７】
【図１】生鮮食料品の一定の種類に対する許容可能な保存条件のグラフである。
【図２ａ】本発明の一実施例に従ったパッケージを示す概略的側面図である。
【図２ｂ】図２ａ中のパッケージの下面図である。
【図３ａ】ポップアップボタンと関連付けられる（閉じられた）機械的スイッチを図示する。
【図３ｂ】開位置における図３ａ中のスイッチを図示する。
【図４】パッケージに対して取り付けられたリップストリップを図示する。
【図５ａ】外部開封検出器を有する単純な本発明のタグを図示する。
【図５ｂ】オンボード温度及び圧力センサを有する本発明のタグを図示する。
【図５ｃ】タイマがプロセッサへと一体化されている、図５ｂに従ったタグを図示する。
【図５ｄ】タイマがメモリへと一体化されている、図５ｂに従ったタグを図示する。
【図６ａ】製品の温度の依存する消費期限を減じる要素を有する表である。
【図６ｂ】製品の温度に依存する消費期限を延ばす要素を有する表である。
【図６ｃ】温度測定に対する追加的な期間が保存される、図６ｂに従った表である。
【図７】消費期限を減じる要素を設定する関数のグラフである。
【図８】本発明の一実施例に従った方法を図示するフロー図である。
【図１】
2008510218.tif 000003
【図２ａ】
2008510218.tif 000004
【図２ｂ】
2008510218.tif 000005
【図３ａ】
2008510218.tif 000006
【図３ｂ】
2008510218.tif 000007
【図４】
2008510218.tif 000008
【図５ａ】
2008510218.tif 000009
【図５ｂ】
2008510218.tif 000010
【図５ｃ】
2008510218.tif 000011
【図５ｄ】
2008510218.tif 000012
【図６ａ】
2008510218.tif 000013
【図６ｂ】
2008510218.tif 000014
【図６ｃ】
2008510218.tif 000015
【図７】
2008510218.tif 000016
【図８】
2008510218.tif 000017
【国際調査報告】
2008510218.tif 000018
2008510218.tif 000019
2008510218.tif 000020